(57)【要約】【課題】身体に直接当る部分の生地を縫製する箇所をできるだけ少なくし、前胸、前脇から袖底まで開閉可能なオープン機能を備えることで、上着の縫製部分による床擦れを防止し、着替えや寝たきり老人の着せ替え、検温等をすることを容易にする。【解決手段】前身頃部１、２と後身頃部７と肩部３，４を一体に形成した型紙１０を作り、前身頃部と後身頃部と肩部を一体に形成した型紙を生地に当てて裁断した生地を縫製してなる身頃部の上端部に縫製した肩部３、４に袖を付けて、体に直接当る部分の生地を縫製する箇所をできるだけ少なくし、前胸、前脇から袖底までファスナー、面ファスナー、ボタンのいずれかにより開閉部１５を設けて開閉可能なオープン機能を備えることで課題解決を達成した床擦れ防止用上着の縫製方法及びその製品。【選択図】図１２
2008291381.tif 000002
【特許請求の範囲】
【請求項１】
前身頃部と後身頃部と肩部を一体に形成した型紙を作り、前身頃部と後身頃部と肩部を一体に形成した型紙を生地に当てて裁断した生地を縫製してなる前身頃部の上端部に縫製した肩部に袖を付けて、身体に直接当る部分の生地を縫製する箇所をできるだけ少なくし、前胸、前脇から袖底まで開閉可能なファスナー、面ファスナー、ボタンのいずれかによりオープン機能を備えることを最も主要な特徴とする床擦れ防止用上着の縫製方法。
【請求項２】
前身頃部と後身頃部と肩部を一体に形成した型紙を作り、前身頃部と後身頃部と肩部を一体に形成した型紙を生地に当てて裁断した生地を縫製してなる前身頃部の上端部に縫製した肩部に袖を付けて、身体に直接当る部分の生地を縫製する箇所をできるだけ少なくし、前胸、前脇から袖底まで開閉可能なファスナー、面ファスナー、ボタンのいずれかによりオープン機能を備えることを最も主要な特徴とする床擦れ防止用上着の縫製方法により製造された製品。 
【発明の詳細な説明】
【技術分野】
【０００１】
本発明は、要介護者用の床擦れ防止用上着について、上着の縫製部分の糸を身体が圧迫して生じる床擦れを防止する縫製方法及び上着の着替え、着せ替え、検温等が容易なその製品に関するものである。
【背景技術】
【０００２】
要介護者用の上着の中で、図１７に図示したラグラン袖の上着は、図１８にその構成を図示している如く、前身頃部ｈと後身頃部ｉ及び両袖部ｊ，ｋが一体に縫製された構成になっているために、着替える場合に両腕を上げて袖を通して、身頃部を頭から被るだけで着替えが完了する利点はあるものの、要介護者が自分で着替える場合にも、介護者により着せ替える場合にも年齢的にも身体の自由が利いている間に限られる。
【０００３】
要介護者がラグラン袖の上着で検温する場合には、身頃部を持ち上げて腕を上げ下げすることが大変な労力になる。従って要介護者が全て誰でも着替えや着せ替え及び検温に至るまで自分だけではできないという欠点もあった。
【０００４】
要介護者がラグラン袖の上着を着て老後の生活をする用途において、この欠点は着替えや検温に関して大きな障害である。具体的には、上着の着替えが容易でなくその上着を利用できる年齢にも限界があった。又寝たきり老人のためにはラグラン袖は、着せ替えが容易でなく、検温する場合にも不便であるなどの問題により、介護者の負担が増加する反面、使用者の年齢幅がある程度制限される問題があった。
【０００５】
上着の縫い目にある糸を身体が移動するたびに圧迫して床擦れを生じている。その床擦れを防止する方法として、特許文献１〜２のような文献に記載のように、上着の床擦れが発生する懸念のある身体部位に接触する部位が少なくとも絹を含有する布地よりなるか、又は絹を裏張りされてなることが記載されている。床擦れを防止し得る布地としては、吸湿性、通気性、保温性等に優れ、かつ肌触りが良好で、且つ、遠赤外線を放出し床擦れを防止し得るところの絹を含有する布地、例えば絹、絹と綿、麻等を混紡した布地が用いられる。
本発明は、１枚の型紙の中に前身頃部と後身頃部及び肩部を一体になるように工夫して、その型紙を当てて裁断した一枚の生地を縫製することにより縫製する箇所をできるだけ少なくして、身体を左右体重移動させても縫い目の糸が身体の体側に直接的に圧迫することがないようにして床擦れを解決するものである。上着を着て検温をする場合には、前胸部から脇部より袖底まで開閉可能なオープン機能を持たせて検温をしやすくできるようにしたものである。
【特許文献１】特開平０８−１４４１０８号公報
【特許文献２】特開平０８−１４４１１０号公報
【発明の開示】
【発明が解決しようとする課題】
【０００６】
解決しようとする問題点は、体に直接当る部分の生地を縫製する箇所をできるだけ少なくし、前胸、前脇から袖底まで開閉可能なオープン機能を備えることで、上着の縫製部分による床擦れを防止し、着替えや寝たきり老人の着せ替え、検温等をすることを容易にする。床擦れ防止の障害となる縫製部分を少なくし、着替え、寝たきり老人の着せ替えや検温の障害になる前胸部から前脇及び袖底まで、開閉できない点である。
【課題を解決するための手段】
【０００７】
本発明床擦れ防止用上着の縫製方法は、前身頃部と後身頃部と肩部を一体に形成した型紙を作り、前身頃部と後身頃部と肩部を一体に形成した型紙を生地に当てて裁断した生地を縫製してなる前身頃部の上端部に縫製した肩部に袖を付けて、身体に直接当る部分の生地を縫製する箇所をできるだけ少なくし、前胸、前脇から袖底まで開閉可能なファスナー、面ファスナー、ボタンのいずれかによりオープン機能を備えることを最も主要な特徴とする床擦れ防止用上着の縫製方法である。
本発明床擦れ防止用上着の製品は、前身頃部と後身頃部と肩部を一体に形成した型紙を作り、前身頃部と後身頃部と肩部を一体に形成した型紙を生地に当てて裁断した生地を縫製してなる前身頃部の上端部に縫製した肩部に袖を付けて、身体に直接当る部分の生地を縫製する箇所をできるだけ少なくし、前胸、前脇から袖底まで開閉可能なファスナー、面ファスナー、ボタンのいずれかによりオープン機能を備えることを最も主要な特徴とする床擦れ防止用上着の縫製方法により製造された製品である。
【発明の効果】
【０００８】
本発明の床擦れ防止用上着の縫製方法は、前身頃部と後身頃部と肩部を一体に形成して、完成した型紙を生地に当てて生地を一体に裁断し縫製する方法であるので、体に直接当る部分の生地を縫製する箇所をできるだけ少なくし、その製品は前胸、前脇から袖底まで開閉可能なオープン機能を備えることで、上着の縫製部分により身体を圧迫して生じる床擦れを防止し、着替えや寝たきり老人の着せ替え、検温等をすることを容易にすることができるので、着替えができる場合にも、着替えができない寝たきりになっても幅広く上着製品を使い分けられるという利点がある。
【発明を実施するための最良の形態】
【０００９】
身体に直接当る部分の生地を縫製する箇所をできるだけ少なくし、前胸、前脇から袖底までファスナー，面ファスナー，ボタンのいづれかを付けることで前胸、前脇から袖底まで開閉可能なオープン機能を備えることができるので上着の縫製部分により生じる床擦れを防止し、着替え、着せ替え、検温等を容易にできるようにするという目的を生地の無駄を少なくして実現した。
【実施例１】
【００１０】
図１〜８は、本発明床擦れ防止用上着の縫製方法のための型紙の１実施例を図示する説明図であって、１，１ｂは  前身頃部、  ２，２ｂは    前身頃部、  ３，３ｂは    肩部、  ４，４ｂは    肩部、  ５，６は    袖部、７は      後身頃部、８は      体に合わない余分な部分、１０は  完成してなる型紙全体を示している。図９〜１１は、完成した型紙を生地に当てて裁断した生地で本発明床擦れ防止用上着の身頃部を縫製する１実施例を図示する説明図であって、９は、完成した型紙（図８符号１０）を生地に当てて裁断した生地（図９）全体である。
型紙と生地において同一の名称を付して符号１〜７を用いて示し、図１〜８と同様である。図１２は、型紙１０を当てて裁断した生地９を縫製してなる身頃部の肩部に袖を付けた実施例１の上着を示し、図１３，図１４は、型紙１０を当てて裁断した生地９を縫製してなる身頃部の肩部に袖を付けた実施例２の上着を示したものである。１１，１１ｂは  襟ぐり、１５は  前脇開閉部、１６は  袖部、１７は    袖部、１８は    前胸から袖底までの開閉部である。図１５，図１６は、袖部の型紙（図１５Ａ，Ｂ）を生地に当てて裁断した生地５，６で袖部ａファスナー，ｂ面ファスナー，ｃボタンのそれぞれに縫製する方法を示している。１２は  袖部ａ、１３は  袖部ｂ、  １４は  袖部ｃである。図１７，図１８は、従来例のラグラン袖を付けた上着について示している。
【００１１】
本発明床擦れ防止用上着の縫製方法は、前身頃部１、２と後身頃部７と肩部３，４を一体に形成した型紙１０を作り、前身頃部と後身頃部と肩部を一体に形成した型紙を生地に当てて裁断した生地９を縫製してなる身頃部の上端部に縫製した肩部３、４に袖を付けて、身体に直接当る部分の生地を縫製する箇所をできるだけ少なくし、前胸、前脇から袖底まで開閉可能な開閉部１５によってオープン機能を備えることを最も主要な特徴とする縫製方法である。
【００１２】
次に図１〜８において本発明床擦れ防止用上着の縫製方法のための型紙の１実施例を説明すれば、図１に示す前身頃部を右前身頃部１と左前身頃部２に縦に分割して、図２に示す袖部Ａ，Ｂの肩部３，４を左右に分割して、図３に示す後身頃部７のそれぞれを一枚の型紙の上に図４に示すように襟ぐりを中心に配置し、図５に斜線で示す体に合わない余分な部分８を除いて、両肩部３，４を図６に示す矢印の方向へ変形して、図７に示す両肩部３，４の位置に配置する。このように前身頃部１，２と両肩部３，４と後身頃部７を一緒に合成して貼り合わせたものと同形に一枚の型紙１０を完成する。
【００１３】
床擦れ防止用上着の縫製方法について説明すれば、前記一枚の型紙１０を用いて生地を裁断し、図９に示す裁断した生地９を得る。図９において示した生地９の各部名称は、型紙の場合と同一に示すものであり、その裁断した生地９は前身頃部１，２と両肩部３，４と後身頃部７で構成されている。生地９の前身頃部２を前方に折り返して、それと同じ前方向に肩部４を折り返して前脇部及び前胸部を縫製し、その前脇部及び前胸部を縫製する際に、両部に開閉可能な開閉部１５を設ける場合には、ファスナー、面ファスナー、ボタンのいずれかを付けてオープン機能を持たせるようにする。これは、それをすることによって、着替え、着せ替え、検温のために容易にできるためである。
【００１４】
上記の身頃部において、図１１に示したように、両肩部３，４には、袖がつけられていない状態である。更に、これに両肩に左右の袖を付けることが必要になる。
【００１５】
袖部５，６は、袖の型紙Ａ，Ｂを当てて生地を裁断し、裁断した生地を縫製する方法について説明する。図１２はファスナー、面ファスナー、ボタンのいずれかを付けて前脇部及び前胸部にオープン機能を設けると共に、左右の肩部３，４に付ける袖にも前記部品を用いてオープン機能を設ける。図１６に示す袖部ａ，ｂ，ｃのオープン機能は、ファスナー１２、面ファスナー１３、ボタン１４のいずれかを用いて開閉可能にし、その袖部は、そのいずれであっても良い。
【００１６】
本発明床擦れ防止用上着の縫製方法は、型紙１０を用いて生地を裁断して縫製することにより、身体の周りには上着により一枚の生地で覆われるため、身頃部に縦に縫製の糸が無く、ベット上で体重の移動をしても縫製糸が身体を圧迫して皮膚を擦って床擦れを生じる心配は無くなる。この縫製方法により製造された上着は前脇部及び前胸部と袖部に設けた開閉部のオープン機能により、着せ替え、検温は容易であるという効果がある。
【実施例２】
【００１７】
図１３、図１４の実施例は、襟ぐり１１ｂを中心にして前身頃部１ｂ，２ｂの前胸部及び前脇部と肩部３ｂ，４ｂに付ける袖部１６，１７の袖底まで開閉部１８に一連のボタンを付けている床擦れ防止用上着の例であって、この例の場合のように、上着は前脇部及び前胸部と袖底に取付けたファスナー、面ファスナー、ボタンのいずれかにより、そのオープン機能によって、左右腕のいずれからでも着せ替えができるので、例えば寝たきりの場合に、この上着により体重の移動をすることなく床擦れを予防し、上着の着せ替えを容易にすることができる効果がある。
【産業上の利用可能性】
【００１８】
本発明床擦れ防止用上着の縫製方法は、前身頃部と後身頃部と肩部とを一緒に含んだ型紙１０を一枚の生地に当てて裁断した生地９を縫製する形態を採用したので、上着は身体に直接当る縫製糸を少なくして、前脇部及び前胸部と袖底までの開閉可能な機能を設けて、左右のいずれからでも上着の着替えが容易になる。従って、本発明製品は、寝たきりであっても体重の移動をするときが少なく、さらに床擦れを防止できる効果がある。この上着は、介護者により要介護者の着せ替えをすることが不可欠な用途にも適用できる。
【図面の簡単な説明】
【００１９】
【図１】床擦れ防止用上着の型紙の実施方法において前身頃部を示した説明図である。（実施例１）
【図２】床擦れ防止用上着の型紙の実施方法において袖部を示した説明図である。（実施例１）
【図３】床擦れ防止用上着の型紙の実施方法において後身頃部を示した説明図である。（実施例１）
【図４】床擦れ防止用上着の型紙の実施方法において全体構成を示した説明図である。（実施例１）
【図５】床擦れ防止用上着の型紙の実施方法において全体構成を示した説明図である。（実施例１）
【図６】床擦れ防止用上着の型紙の実施方法において全体構成を示した説明図である。（実施例１）
【図７】床擦れ防止用上着の型紙の実施方法において全体構成を示した説明図である。（実施例１）
【図８】床擦れ防止用上着の型紙の実施方法において完成図を示した説明図である。（実施例１）
【図９】床擦れ防止用上着の型紙を当てて裁断した生地を示した説明図である。（実施例１）
【図１０】裁断した生地で床擦れ防止用上着の前身頃部の上端部に肩部を縫製する方法を示した説明図である。（実施例１）
【図１１】裁断した生地で床擦れ防止用上着の前身頃部の上端部に肩部を縫製する方法を示した説明図である。（実施例１）
【図１２】床擦れ防止用上着の身頃部の肩部に袖部を付けた製品を示した説明図である。（実施例１）
【図１３】床擦れ防止用上着の身頃部の肩部に袖部を付けた製品を示した説明図である。（実施例２）
【図１４】床擦れ防止用上着の身頃部の肩部に袖部を付けた製品を開けた状態を示した説明図である。（実施例２）
【図１５】床擦れ防止用上着の袖部の型紙を示した説明図である。（実施例１）
【図１６】床擦れ防止用上着の袖部の型紙を当てて裁断した生地を袖に縫製する方法を示した説明図である。（実施例１）
【図１７】従来のラグラン袖を付けた上着を示した正面図である。（従来例）
【図１８】ラグラン袖を付けた上着の身頃部並びに両袖部の構成を示した説明図である。（従来例）
【符号の説明】
【００２０】
１，１ｂ    前身頃部
２，２ｂ    前身頃部
３，３ｂ    肩部
４，４ｂ    肩部
５，６    袖部
７      後身頃部
８      体に合わない余分な部分
９      裁断した生地全体
１０    完成した型紙全体
１１，１１ｂ    襟ぐり
１２    袖部ａ（ファスナー）
１３    袖部ｂ（面ファスナー）
１４    袖部ｃ（ボタン）
１５    前脇開閉部
１６    袖部
１７    袖部
１８    前胸から袖底までの開閉部
【図１】
2008291381.tif 000003
【図２】
2008291381.tif 000004
【図３】
2008291381.tif 000005
【図４】
2008291381.tif 000006
【図５】
2008291381.tif 000007
【図６】
2008291381.tif 000008
【図７】
2008291381.tif 000009
【図８】
2008291381.tif 000010
【図９】
2008291381.tif 000011
【図１０】
2008291381.tif 000012
【図１１】
2008291381.tif 000013
【図１２】
2008291381.tif 000014
【図１３】
2008291381.tif 000015
【図１４】
2008291381.tif 000016
【図１５】
2008291381.tif 000017
【図１６】
2008291381.tif 000018
【図１７】
2008291381.tif 000019
【図１８】
2008291381.tif 000020